(57)【要約】【課題】 誤放電を防止できるようにするプラズマディスプレイパネルの駆動方法を提供する。  【解決手段】本発明の実施形態に係るプラズマディスプレイパネルの駆動方法は、 一つのフレームが複数のサブフィールドを含むとともに前記サブフィールドが自分に 割り当てられた輝度加重値に応じて発光しながら階調を表現するプラズマディスプレイパネルの駆動方法において、一段階低い階調のサブフィールドが一つも発光しない特定階調を表現する時、特定階調の以前発光パターンまたは以後発光パターンのうちいずれか一つを利用して特定階調を具現する。【選択図】図４
2005115378.tif 000002
【特許請求の範囲】
【請求項１】
一つのフレームが複数のサブフィールドを含むとともに前記サブフィールドが自分に割り当てられた輝度加重値に応じて発光しながら階調を表現するプラズマディスプレイパネルの駆動方法において、
一段階低い階調のサブフィールドが一つも発光しない特定階調を表現する時、前記特定階調の以前の階調の発光パターンまたは以後の階調の発光パターンのうちいずれか一つを利用して前記特定階調を具現することを特徴とする、プラズマディスプレイパネルの駆動方法。
【請求項２】
前記特定階調は、前記フレームのうち少なくとも４番目以後に位置するサブフィールドが単独で発光する階調であることを特徴とする、請求項１に記載のプラズマディスプレイパネルの駆動方法。
【請求項３】
３番目サブフィールドに"１"の輝度加重値を有するサブフィールドが位置することを特徴とする、請求項２に記載のプラズマディスプレイパネルの駆動方法。
【請求項４】
前記特定階調は、前記フレームのうち少なくとも５番目以後に位置するサブフィールドが単独で発光する階調であることを特徴とする、請求項１に記載のプラズマディスプレイパネルの駆動方法。
【請求項５】
３番目及び４番目サブフィールドのうちいずれか一つのサブフィールドに"１"の輝度加重値を有するサブフィールドが位置することを特徴とする、請求項４に記載のプラズマディスプレイパネルの駆動方法。
【請求項６】
前記プラズマディスプレイパネルの内部にはキセノン(Ｘe)ガスが１０％以上含有された放電ガスが含まれることを特徴とする、請求項１乃至５何れかに記載のプラズマディスプレイパネルの駆動方法。
【請求項７】
前記以前の発光パターンは、前記特定階調の直ぐ以前の階調の発光パターンであることを特徴とする、請求項１に記載のプラズマディスプレイパネルの駆動方法。
【請求項８】
前記以後の発光パターンは、前記特定階調の直ぐ以後の階調の発光パターンであることを特徴とする、請求項１に記載のプラズマディスプレイパネルの駆動方法。
【請求項９】
一つのフレームが複数のサブフィールドを含むとともに前記サブフィールドが自分に割り当てられた輝度加重値に応じて発光しながら階調を表現するプラズマディスプレイパネルの駆動方法において、
一段階低い階調のサブフィールドが一つも発光しない特定階調を表現する時、Ｎ-1番目フレームでは直ぐ以前階調の発光パターンを利用し、Ｎ番目フレームでは直ぐ以後階調の発光パターンを利用することを特徴とするプラズマディスプレイパネルの駆動方法。
【請求項１０】
前記特定階調は、前記フレームのうち少なくとも４番目以後に位置するサブフィールドが単独で発光する階調であることを特徴とする、請求項９に記載のプラズマディスプレイパネルの駆動方法。
【請求項１１】
３番目サブフィールドに"１"の輝度加重値を有するサブフィールドが位置することを特徴とする、請求項１０に記載のプラズマディスプレイパネルの駆動方法。
【請求項１２】
前記特定階調は、前記フレームのうち少なくとも５番目以後に位置するサブフィールドが単独で発光する階調であることを特徴とする、請求項９に記載のプラズマディスプレイパネルの駆動方法。
【請求項１３】
３番目及び４番目サブフィールドのうちいずれか一つのサブフィールドに"1"の輝度加重値を有するサブフィールドが位置することを特徴とする、請求項１２に記載のプラズマディスプレイパネルの駆動方法。
【請求項１４】
前記プラズマディスプレイパネルの内部にはキセノン(Ｘe)ガスが１０％以上含有された放電ガスが含まれることを特徴とする、請求項９乃至１３何れかに記載のプラズマディスプレイパネルの駆動方法。
【発明の詳細な説明】
【技術分野】
【０００１】
本発明は、プラズマディスプレイパネルに関し、より詳細には、プラズマ ディスプレーパネルの駆動方法に関する。
【背景技術】
【０００２】
プラズマディスプレイパネル（Plasma Display Panel：以下「ＰＤＰ」という）は、Ｈｅ+Ｘｅ,Ｎｅ+ＸｅまたはＨｅ+Ｎｅ+Ｘｅガスの放電時発生する１４７ｎｍの紫外線により蛍光体を発光させることによって文字またはグラフィックを含む画像を表示することになる。このようなＰＤＰは、薄膜化と大型化が容易であるのみでなく、近年技術開発により大きく向上した画質を提供する。特に、３電極交流面放電型ＰＤＰは、放電時表面に蓄積された壁電荷を利用して放電に必要な電圧を下げるようになって、放電により発生するスパッタリングから電極を保護するため、低電圧駆動と長寿命という長所を有する。
【０００３】
図１は、 従来の３電極交流面放電型プラズマディスプレイパネルの放電セル構造を示す斜視図である。図１を参照すると、３電極交流面放電型ＰＤＰの放電セルは上部基板１０上に形成されたスキャン電極３０Ｙ及びサステイン電極３０Ｚと、下部基板１８上に形成されたアドレス電極２０Ｘを備える。
スキャン電極３０Ｙとサステイン電極３０Ｚの各々は、透明電極１２Ｙ、１２Ｚと、透明電極１２Ｙ、１２Ｚの線幅より小さい線幅を有し透明電極の片側縁に形成される金属バス電極１３Ｙ、１３Ｚとを含む。透明電極１２Ｙ、１２Ｚは、通常酸化インジウムスズ(Indium-Tin-Oxide:ITO）で上部基板１０上に形成される。金属バス電極１３Ｙ、１３Ｚは、通常クロム(Ｃｒ)などの金属で透明電極１２Ｙ、２Ｚ上に形成されて抵抗の高い透明電極１２Ｙ、１２Ｚによる電圧降下を減らす役割をする。スキャン電極３０Ｙとサステイン電極３０Ｚが形成された上部基板１０には、上部誘電体層１４と保護膜１６が積層される。上部誘電体層１４にはプラズマ放電時発生した壁電荷が蓄積される。保護膜１６はプラズマ放電時発生したスパッタリングから上部誘電体層１４を保護し２次電子の放出効率を向上することになる。保護膜１６には通常酸化マグネシウム(ＭｇＯ）が利用される。
【０００４】
アドレス電極２０Ｘは、スキャン電極３０Ｙ及びサステイン電極３０Ｚと交差する方向に形成される。アドレス電極２０Ｘが形成された下部基板１８上には下部誘電体層２２と隔壁２４とが形成される。下部誘電体層２２と隔壁２４の表面には蛍光体層２６が形成される。隔壁２４はアドレス電極２０Ｘと並列して形成されて放電セルを物理的に区分し、放電により生成された紫外線と可視光が、隣接した放電セルに漏洩することを防止する。蛍光体層２６は、プラズマ放電時発生した紫外線により励起・発光して赤色、緑色または青色のうちいずれか一つの可視光線を発生する。上/下部基板１０、１８と隔壁２４との間に設けられた放電セルの放電空間には放電のためのＨｅ+Ｘｅ、Ｎｅ+ＸｅまたはＨｅ+Ｘｅ+Ｎｅどの不活性混合ガスが注入される。
【０００５】
このような３電極交流面放電型ＰＤＰは、画像の階調(Gray Level)を具現するために一つのフレームを発光回数が異なる複数のサブフィールドに分けて駆動している。各サブフィールドは、放電を均一に起こすためのリセット期間、放電セルを選択するためのアドレス期間及び放電回数に応じて階調を具現するサステイン期間に分けられる。
例えば、２５６階調で画像を表示しようとする場合に、１/６０秒に該当するフレーム期間(１６.６７ｍｓ）は、図２のように８個のサブフィールド(ＳＦ１ないしＳＦ８）に分けられる。８個のサブフィールド(ＳＦ１ないしＳＦ８)各々は、リセット期間、アドレス期間及びサステイン期間に分けられる。各サブフィールドのリセット期間及びアドレス期間は、各サブフィールドごとに同じであるのに対し、サステイン期間及びその放電回数は、各サブフィールドで２ｎ(但し、ｎ=０,１,２,３,４,５,６,７）の割合で増加する。このように各サブフィールドでサステイン期間が変わることになるので画像の階調が具現できるようになる。
【０００６】
実際、フレームのサブフィールドは、表１のように選択されながら階調を表現することになる。
表１
2005115378.tif 000003
【０００７】
ここで、'ＳＦＸ’はＸ番目サブフィールドを意味し、'Ｙｚ’は該当サブフィールドに設定された輝度加重値を十進数で表現したものである。そして、'○’は該当サブフィールドがオンされた状態を示し、'×’は該当サブフィールドがオフされた状態を示す。
表１に示されているように、従来のサブフィールドは自分に割り当てられた輝度加重値に対応してサステイン放電を起こすことによって輝度加重値に対応する階調を表現することになる。しかし、従来のサブフィールド駆動方法ではすぐ前の階調に比較して発光パターンが大きく変わる階調１５−１６、３１−３２、６３−６４、１２７−１２８で誤放電が発生する虞がある。そして、発光パターンが大きく変わる階調１５−１６、３１−３２、６３−６４、１２７−１２８では壁電荷の制御が容易でない問題点が出てくる。
【０００８】
これを詳細に説明すると、まず３１の階調が表現されるためには、図３ａのように、第１サブフィールドＳＦ１ないし第５サブフィールドＳＦ５でサステイン放電が起こる。この時、３１の階調を表現するために、一つのフレームで複数のサブフィールドが選択されるために、選択されるサブフィールドでは安定したアドレス放電を起こすことができる。言い換えれば、第５サブフィールドＳＦ５で 起こるアドレス放電は以前サブフィールドで生成されたプライミング荷電粒子によって安定的に起きることができる。
【０００９】
３２の階調が表現されるためには、図３ｂのように、第６サブフィールドＳＦ６でサステイン放電が起こる。この時、３２の階調を表現するために一つのフレームで一つのサブフィールドのみ選択される。言い換えれば、第６サブフィールドＳＦ６で起こるアドレス放電は以前サブフィールドで生成された荷電粒子の助けなしに発生されなければならない。したがって、第６サブフィールドＳＦ６で発生するアドレス放電が失敗する確率が増加する。
【００１０】
一方、他の従来技術では、ＰＤＰ内に封入された放電ガスをＮｅ−Ｘｅ１０％、４６ｋＰａにしてＸｅ成分の密度を従来よりさらに高めることによって、従来の低密度Ｘｅパネルに比べて駆動電圧が高いけれども輝度をさらに高めることができる。このような高密度Ｘｅパネルでは放電ガスにおいてＸｅ成分を高めることによって、高輝度の画像を表示できるようになる。しかし、このような高密度Ｘｅのパネルは、低密度Ｘｅパネルに比べて駆動電圧が高く設定されるために、以前階調に比較して発光パターンが大きく変わる階調１５−１６、３１−３２、６３−６４、１２７−１２８で誤放電が発生する確率がさらに増加することになる。
【発明の開示】
【発明が解決しようとする課題】
【００１１】
したがって、本発明は、 前記のような従来技術の問題点に鑑みてなされたものであって、 目的とするところは、誤放電を防止できるようにするプラズマディスプレイパネルの駆動方法を提供することにある。
【課題を解決するための手段】
【００１２】
上記目的を達成するために、本発明の実施形態に係るプラズマディスプレイパネルの駆動方法は、 一つのフレームが複数のサブフィールドを含むとともに前記サブフィールドが自分に割り当てられた輝度加重値に応じて発光しながら階調を表現するプラズマディスプレイパネルの駆動方法において、一段階低い階調のサブフィールドが一つも発光しない特定階調を表現する時、特定階調の以前発光パターンまたは以後発光パターンのうちいずれか一つを利用して特定階調を具現する。
【００１３】
前記特定階調は、フレームのうち少なくとも４番目以後に位置するサブフィールドが単独で発光する階調である。
３番目のサブフィールドに"１"の輝度加重値を有するサブフィールドが位置する。
前記特定階調は、フレームのうち少なくとも５番目以後に位置するサブフィールドが単独で発光する階調である。
【００１４】
３番目及び４番目サブフィールドのうちいずれか一つのサブフィールドに"１"の輝度加重値を有するサブフィールドが位置する。
前記プラズマディスプレイパネルの内部にはゼノン(Ｘｅ)ガスが１０％以上含有された放電ガスが含まれる。
前記以前発光パターンは、特定階調の直ぐ以前階調の発光パターンである。
【００１５】
前記以後発光パターンは、特定階調の直ぐ以後階調の発光パターンである。
本発明の実施形態に係るプラズマディスプレイパネルの駆動方法は、 一つのフレームが複数のサブフィールドを含むとともに前記サブフィールドが自分に割り当てられた輝度加重値に応じて発光しながら階調を表現するプラズマディスプレイパネルの駆動方法において、一段階低い階調のサブフィールドが一つも発光しない特定階調を表現する時、ｎ−１番目フレームでは直ぐ以前階調の発光パターンを利用し、ｎ番目フレームでは直ぐ以後階調の発光パターンを利用することを特徴とする。
【００１６】
前記特定階調は、フレームのうち少なくとも４番目以後に位置するサブフィールドが単独で発光する階調である。
３番目サブフィールドに"１"の輝度加重値を有するサブフィールドが位置する。
前記特定階調は、フレームのうち少なくとも５番目以後に位置するサブフィールドが単独で発光する階調である。
【００１７】
３番目及び４番目サブフィールドのうちいずれか一つのサブフィールドに"１"の輝度加重値を有するサブフィールドが位置する。
前記プラズマディスプレイパネルの内部にはゼノン(Ｘｅ)ガスが１０％以上含有された放電ガスが含まれる。
【発明の効果】
【００１８】
本発明に係るプラズマディスプレイパネルの駆動方法によると、以前階調と比較して発光パターンが大きく変化する階調で直ぐ以前階調または直ぐ以後階調の発光パターンを利用して階調を表現することによって、誤放電を防止できる。特に、高密度Ｘｅの放電ガスを含むＰＤＰに本発明を適用することによって、高密度ＸｅのＰＤＰにおいて安定的に画像を表示できる。なお、１の階調を有するサブフィールドをフレームの中間に配置することによって、プライミング効果を效率的に利用できる。
【発明を実施するための最良の形態】
【００１９】
以下、添付図を参照して本発明の実施形態を詳細に説明する。
本発明のプラズマディスプレイパネルの駆動方法では、一つのフレームが複数のサブフィールドに分れて駆動する。例えば、２５６階調で画像を表示する場合、一つのフレームは８個のサブフィールド(ＳＦ１ないしＳＦ８）に分かれることになる。ここで、８個のサブフィールドは互いに異なる輝度加重値を持って階調を表現することになる。
【００２０】
実際、本発明ではフレームのサブフィールドは表２のように選択されながら階調を表現する。
表２
2005115378.tif 000004
【００２１】
ここで、'ＳＦＸ’はＸ番目サブフィールドを意味し、'Ｙｚ’は該当サブフィールドに設定された輝度加重値を十進数ｚで表現したものである。そして、'○’は該当サブフィールドがオンされた状態を示し、'×’は該当サブフィールドがオフされた状態を示す。
表２に示すように、本発明のサブフィールドは自分に割り当てられた輝度加重値に対応してサステイン放電を起こすことによって、輝度加重値に対応する階調を表現することになる。ここで、本発明のサブフィールド駆動方法では、直ぐ以前階調と比較して発光パターンが大きく変化するべき特定階調１６、３２、６４、１２８では以前階調の発光パターンを維持する。ここで、発光パターンが大きく変化するべき特定階調は、以前階調のサブフィールドが一つも発光しない階調を意味する。言い換えれば、１５の階調では第１ないし第４サブフィールド(ＳＦ１ないしＳＦ４)が発光するが、特定階調の１６の階調では第５サブフィールドのみ発光する。
【００２２】
本発明を詳細に説明すると、１６の階調を表現するためには、第５サブフィールドＳＦ５のみ発光されるべきであるので、第５サブフィールドＳＦ５以前にサブフィールドでサステイン放電が発生せず、これによって誤放電が発生する虞があるが、これに対して、本発明では１６の階調を１５の階調の発光パターンと同じ発光パターンを利用して表現することによって、１６の階調を表現する時誤放電が発生することを防止できる。すなわち、本発明では特定輝度加重値に対応してフレームの少なくとも５番目(または４番目)以後に位置するサブフィールドが単独で発光する時直ぐ以前（直前の）の階調の発光パターンを利用して特定輝度加重値の階調を表現することによって、誤放電を防止することになる。
【００２３】
他の例を挙げて説明すると、１２８の階調を表現する時輝度加重値に対応して第８サブフィールドＳＦ８のみ発光されるべきである。すなわち、１２８階調を表現する時フレームの少なくとも５番目(または ４番目)以後に位置する第８サブフィールドＳＦ８が単独で発光するべきであるので、本発明では、１２８階調の直前の１２７階調の発光パターンを利用して階調を表現することになる。言い換えれば、１２８の階調を表現する時１２７階調の発光パターンを利用することによって誤放電を防止できる。
【００２４】
そして、このような本発明の駆動方法が高密度Ｘｅ(１０％以上)に適用されると、高密度Ｘｅによる駆動電圧上昇にもかかわらず誤放電なしに安定的にＰＤＰを駆動できる。
なお、本発明では表３のようにサブフィールドを選択しながら階調を表示できる。
表３
2005115378.tif 000005
【００２５】
ここで、'ＳＦＸ’はＸ番目サブフィールドを意味し、'Ｙｚ’は該当サブフィールドに設定された輝度加重値を十進数で表現したものである。そして、'○’は該当サブフィールドがオンされた状態を示し、'×’は該当サブフィールドがオフされた状態を示す。
表３に示されているように、本発明のサブフィールドは自分に割り当てられた輝度加重値に対応してサステイン放電を起こすことによって、輝度加重値に対応する階調を表現することになる。ここで、本発明のサブフィールド駆動方法では、直ぐ以前階調と比較して発光パターンが大きく変化するべき特定階調１６、３２、６４、１２８ではすぐ次（直ぐ次）の階調の発光パターンを維持することになる。 ここで、発光パターンが大きく変化するべき特定階調は、以前階調のサブフィールドが一つも発光しない階調を意味する。言い換えれば、１５の階調では第１ないし第４サブフィールド(ＳＦ１ないしＳＦ４)が発光されるが、特定階調の１６の階調では第５サブフィールドのみ発光する。
【００２６】
本発明を詳細に説明すると、１６の階調を表現するためには第５サブフィールドＳＦ５のみ発光するべきであるので、第５サブフィールドＳＦ５以前にサブフィールドでサステイン放電が発生せず、これによって誤放電が発生する虞があるが、これに対して本発明では、１６の階調を１７の階調の発光パターンと同じ発光パターンを利用して表現することによって、１６の階調を表現する時誤放電が発生することを防止できる。すなわち、本発明では特定輝度加重値に対応してフレームの少なくとも５番目(または４番目)以後に位置するサブフィールドが単独で発光する時、すぐ次ぎ（直ぐ以後）の階調の発光パターンを利用して特定輝度加重値の階調を表現することによって誤放電を防止することになる。
【００２７】
他の例を挙げて説明すると、１２８の階調を表現する時輝度加重値に対応する第８サブフィールドＳＦ８のみ発光しなければならない。すなわち、１２８階調を表現する時フレームの少なくとも５番目(または ４番目)以後に位置する第８サブフィールドＳＦ８が単独で発光するべきであるので、本発明では、１２８階調の次の１２９階調の発光パターンを利用して１２８階調を表現することになる。言い換えれば、１２８の階調を表現する時１２９階調の発光パターンを利用することによって誤放電を防止できる。
【００２８】
そして、このような本発明の駆動方法が高密度Ｘｅ(１０％以上)に適用されると、高密度Ｘｅによる駆動電圧上昇にもかかわらず誤放電なしに安定的にＰＤＰを駆動できる。
そして、本発明ではさらに安定的に放電が発生できるように、表４のようにサブフィールド発光パターンを配置できる。
表４
2005115378.tif 000006
【００２９】
ここで、'ＳＦＸ’はＸ番目サブフィールドを意味し、'Ｙｚ’は該当サブフィールドに設定された輝度加重値を十進数で表現したものである。
表４に示されているように、"１"の階調を表示するサブフィールドをフレームの中間に配置することによって、表３に表示された方法で階調を表現する時 さらに安定的に放電が起こることができるようにする。言い換えれば、１の階調を表示するサブフィールドをフレームで発光パターンが大きく変化されるべき最初の特定階調(例えば、"１６")以前である第４サブフィールドＳＦ４に配置することによって、安定的に放電を起こすことができる。すなわち、確率的に最も多く発光する"１"の階調を表現するサブフィールドを第４サブフィールドに配置することによって、プライミング効果をさらに效率的に利用できる。実際、表３に示されている方法で"１２８"の階調を表現する場合、表３では第１サブフィールドＳＦ１及び第８サブフィールドＳＦ８が選択される。ここで、第１サブフィールドＳＦ１及び第８サブフィールドＳＦ８間に多くの時間間隔があるので、誤放電が発生する確率がある。しかし、表４のように"１"の階調を第４サブフィールドに配置することになると、表３の方法で"１２８"の階調を表現する場合、第４サブフィールドＳＦ４及び第８サブフィールドＳＦ８が選択されるので、誤放電が発生することを防止できる。
【００３０】
一方、本発明は説明の便宜のために、１、２、４、８、１６、３２、６４、１２８の発光パターンを有するフレームを持って説明した。しかし、本発明の多様な発光パターンを有するＰＤＰに適用することができる。 一例で、１、２、４、８、１６、３２、６４、６４、６４、６４の発光パターンを有するフレームにも同様に適用できる(この場合、"１"の発光パターンを有するサブフィールドは第４サブフィールドに配置されることができる)。
【００３１】
一方、本発明では図４ａ及び図４ｂのように特定階調の輝度を平均的に表現できる。これを詳細に説明すると、まず １６の階調を表現するために、ｎ(ｎは自然数)−１番目フレームで１５の階調を表現し、ｎ番目フレームで１７の階調を表現する。この場合、使用者はパネルで表示される画像をｎ−１フレーム及びｎ番目階調の平均値である１６の階調で認知することになる。同様に、１２８階調を表現するために、ｎ−１番目フレームで１２７の階調を表現し、ｎ番目フレームで１２９階調を表現することによって、平均的に１２８の階調を表現できる。
【図面の簡単な説明】
【００３２】
【図１】従来の３電極交流面放電型プラズマディスプレイパネルの放電セル構造を示す斜視図である。
【図２】一般的なプラズマディスプレイパネルの一つのフレームを示す図である。
【図３】輝度加重値に対応するサブフィールドの発光パターンを示す図である。
【図４】２個のフレームを利用して平均的な階調を表現する方法を示す図である。
【図１】
2005115378.tif 000007
【図２】
2005115378.tif 000008
【図３】
2005115378.tif 000009
【図４】
2005115378.tif 000010